(57)【要約】      （修正有）【課題】特定のチャンネルについては、未契約でも番組宣伝のためにＥＰＧ情報をあえて表示することや、別の特定のチャンネルについては未契約の場合は表示しないというような、送信局側の意向に沿った運用を可能とする。【解決手段】加入者毎の契約確認情報を保持する保持部２０−６と、サービス記述テーブルとネットワーク情報テーブルとを含むトランスポートストリームを受信する通信部２０−１と、契約確認情報と、受信したサービス記述テーブルとネットワーク情報テーブルとから、サービス識別毎にＥＰＧの表示または非表示を決定する処理部２０−４と、からなるデジタル放送受信機２０。【選択図】図１４
2011239052.tif 000002
【特許請求の範囲】
【請求項１】
加入者毎の契約確認情報を保持する保持部と、
サービス識別と、前記サービス識別毎に視聴契約確認の要否を示すサービス情報と、から構成されるサービス記述テーブルと、
プライベートデータと、前記プライベートデータがＥＰＧ表示制御に使用するデータであるか否かを示すリンク種別と、から構成されるリンク記述子を含むネットワーク情報テーブルと、
を含むトランスポートストリームを受信する通信部と、
前記サービス識別と、前記サービス識別毎のサービス情報と、を抽出するとともに、
前記プライベートデータがＥＰＧ表示制御に使用するデータであることを前記リンク種別が示す場合、前記プライベートデータに含まれるＥＰＧ表示制御情報を抽出し、
前記保持する契約確認情報と、前記抽出したサービス識別と前記サービス識別毎のサービス情報と前記ＥＰＧ表示制御情報と、から、前記サービス識別毎にＥＰＧの表示または非表示を決定する処理部と、
からなるＥＰＧ表示制御装置。
【請求項２】
前記ＥＰＧ表示制御情報は、
前記ＥＰＧ表示制御情報の種別を示す情報種別を含む
ことを特徴とする請求項１記載のＥＰＧ表示制御装置。
【請求項３】
加入者毎の契約確認情報を保持する第１のステップと、
サービス識別と、前記サービス識別毎に視聴契約確認の要否を示すサービス情報と、から構成されるサービス記述テーブルと、
プライベートデータと、前記プライベートデータがＥＰＧ表示制御に使用するデータであるか否かを示すリンク種別と、から構成されるリンク記述子を含むネットワーク情報テーブルと、
を含むトランスポートストリームを受信する第２のステップと、
前記サービス識別と、前記サービス識別毎のサービス情報と、を抽出するとともに、
前記プライベートデータがＥＰＧ表示制御に使用するデータであることを前記リンク種別が示す場合、前記プライベートデータに含まれるＥＰＧ表示制御情報を抽出し、
前記保持する契約確認情報と、前記抽出したサービス識別と前記サービス識別毎のサービス情報と前記ＥＰＧ表示制御情報と、から、前記サービス識別毎にＥＰＧの表示または非表示を決定する第３のステップと、
からなるＥＰＧ表示制御方法。
【請求項４】
サービス識別と、前記サービス識別毎に視聴契約確認の要否を示すサービス情報と、から構成されるサービス記述テーブルと、
プライベートデータと、前記プライベートデータがＥＰＧ表示制御に使用するデータであるか否かを示すリンク種別と、から構成されるリンク記述子を含むネットワーク情報テーブルと、
加入者毎の契約確認情報と、を保持する保持部と、
前記サービス記述テーブルと、前記ネットワーク情報テーブルと、前記契約確認情報とを含むトランスポートストリームを生成する処理部と、
前記トランスポートストリームを送信する通信部と、
からなるＥＰＧ制御情報送信装置。
【請求項５】
加入者毎の契約確認情報を保持する保持部と、
サービス識別と、前記サービス識別毎のプライベートデータと、前記サービス識別毎のプライベートデータがＥＰＧ表示制御に使用するデータであるか否かを示すリンク種別と、から構成されるリンク記述子を含むネットワーク情報テーブルを含むトランスポートストリームを受信する通信部と、
前記サービス識別と、前記サービス識別毎のプライベートデータがＥＰＧ表示制御に使用するデータであることを前記リンク種別が示す場合、前記サービス識別毎のプライベートデータに含まれるＥＰＧ表示制御情報と、を抽出し、
前記保持する契約確認情報と、前記抽出したサービス識別と前記ＥＰＧ表示制御情報と、から、前記サービス識別毎にＥＰＧの表示または非表示を決定する処理部と、
からなるＥＰＧ表示制御装置。
【請求項６】
前記ＥＰＧ表示制御情報は、
前記ＥＰＧ表示制御情報の種別を示す情報種別と、
視聴契約確認の要否を示すサービス情報と、を含む
ことを特徴とする請求項５記載のＥＰＧ表示制御装置。
【請求項７】
加入者毎の契約確認情報を保持する第１のステップと、
サービス識別と、前記サービス識別毎のプライベートデータと、前記サービス識別毎のプライベートデータがＥＰＧ表示制御に使用するデータであるか否かを示すリンク種別と、から構成されるリンク記述子を含むネットワーク情報テーブルを含むトランスポートストリームを受信する第２のステップと、
前記サービス識別と、前記サービス識別毎のプライベートデータがＥＰＧ表示制御に使用するデータであることを前記リンク種別が示す場合、前記サービス識別毎のプライベートデータに含まれるＥＰＧ表示制御情報と、を抽出し、
前記保持する契約確認情報と、前記抽出したサービス識別と前記ＥＰＧ表示制御情報と、から、前記サービス識別毎にＥＰＧの表示または非表示を決定する第３のステップと、
からなるＥＰＧ表示制御方法。
【請求項８】
サービス識別と、前記サービス識別毎のプライベートデータと、前記サービス識別毎のプライベートデータがＥＰＧ表示制御に使用するデータであるか否かを示すリンク種別と、から構成されるリンク記述子を含むネットワーク情報テーブルと、
加入者毎の契約確認情報と、を保持する保持部と、
前記ネットワーク情報テーブルと、前記契約確認情報と、を含むトランスポートストリームを生成する処理部と、
前記トランスポートストリームを送信する通信部と、
からなるＥＰＧ制御情報送信装置。
【請求項９】
プライベートデータと、前記プライベートデータがＥＰＧ表示制御起動に使用するデータであるか否かを示すリンク種別と、から構成されるリンク記述子を含むネットワーク情報テーブルを含むトランスポートストリームを受信する通信部と、
前記プライベートデータがＥＰＧ表示制御起動に使用するデータであることを前記リンク種別が示す場合、前記プライベートデータに含まれるＥＰＧ表示制御起動情報を抽出し、
前記ＥＰＧ表示制御起動情報に基づきＥＰＧ表示制御を起動する処理部と、
からなるＥＰＧ表示制御起動装置。
【請求項１０】
前記ＥＰＧ表示制御起動情報は、
前記ＥＰＧ表示制御起動情報の種別を示す情報種別を含む
ことを特徴とする請求項９記載のＥＰＧ表示制御起動装置。
【請求項１１】
プライベートデータと、前記プライベートデータがＥＰＧ表示制御起動に使用するデータであるか否かを示すリンク種別と、から構成されるリンク記述子を含むネットワーク情報テーブルを含むトランスポートストリームを受信する第１のステップと、
前記プライベートデータがＥＰＧ表示制御起動に使用するデータであることを前記リンク種別が示す場合、前記プライベートデータに含まれるＥＰＧ表示制御起動情報を抽出し、
前記ＥＰＧ表示制御起動情報に基づきＥＰＧ表示制御を起動する第２のステップと、
からなるＥＰＧ表示制御起動方法。
【請求項１２】
プライベートデータと、前記プライベートデータがＥＰＧ表示制御起動に使用するデータであるか否かを示すリンク種別と、から構成されるリンク記述子を含むネットワーク情報テーブルを保持する保持部と、
前記ネットワーク情報テーブルを含むトランスポートストリームを生成する処理部と、
前記トランスポートストリームを送信する通信部と、
からなるＥＰＧ制御起動情報送信装置。
【発明の詳細な説明】
【技術分野】
【０００１】
本発明はＣＡＴＶ（ケーブルＴＶ）などの多チャンネルデジタル放送におけるＥＰＧ（電子番組ガイド）の表示制御技術に関するものである。
【背景技術】
【０００２】
近年、デジタル放送の一般化、多チャンネル化、ハイビジョン（高解像度）放送チャンネルの増加により、ＥＰＧの重要性がますます認識されている。ＥＰＧを利用した放送サービス（以降、単に「サービス」と表現する場合もある）視聴、放送サービス録画予約、放送サービス検索、出演者やあらすじなどの放送サービスの詳細情報の確認が一般的に行われている。特にＣＡＴＶにおいては、地上デジタル放送、ＢＳ（放送衛星）デジタル放送の他、百数十チャンネルものＣＳ（通信衛星）放送、自主放送の他、放送サービス単位で購入するＰＰＶ（ペイパービュー）放送など、多彩な放送サービスが多数行われており、そのため契約形態も基本的なチャンネルをパックしたベーシック契約の他に、さらに複数の有料チャンネルをパックしたプレミア契約や、追加契約として個別の有料番組を契約できるように多様化している。さらに近年ハイビジョン放送チャンネルの増加により、同一番組内容の放送が別チャンネルで行われており、これら放送に対応したＥＰＧ表示も複雑かつ煩雑になっている。
【０００３】
図１２は、ＣＳ放送の再送信を行うＣＡＴＶ放送システムを表す構成図である。ＢＳ、地上デジタル放送の再送信、自主放送については記載を省略している。
【０００４】
ＣＳ放送のＥＰＧ情報は、放送サービスの構成に合わせて１週間の放送サービス情報として放送サービスサーバ２で生成され、制御装置１を経由しＥＰＧ生成装置３に送信される。ＥＰＧ生成装置３では、受信したＥＰＧ情報を放送信号伝送フォーマットに変換し、ＭＵＸ／ＳＣＲ／ＱＡＭ装置７に送信する。ＭＵＸは多重化装置、ＳＣＲはスクランブル装置、ＱＡＭは６４ＱＡＭ変調装置の略称である。
【０００５】
一方、放送サービスの加入者毎の限定受信制御は、加入者の契約情報を管理する加入者管理装置５からの制御信号を、限定受信情報（ＥＭＭ）として制御装置１を経由し、限定受信装置６で放送信号伝送フォーマットに変換し、ＭＵＸ／ＳＣＲ／ＱＡＭ装置７でスクランブル後、６４ＱＡＭ変換してＭＩＸ（混合器）８を経由して、ＣＡＴＶ伝送路１０に送信する。また、ＭＵＸ／ＳＣＲ／ＱＡＭ装置７において、ＣＳ放送受信装置４で受信した放送サービスに、ＥＰＧ生成装置３で生成したＥＰＧ情報と、後述する放送サービス配列情報と、限定受信装置６で生成した放送サービスのスクランブル鍵および契約確認に使用する契約タイプについての共通情報（ＥＣＭ）とを多重し、限定受信のためのスクランブルを行い、６４ＱＡＭ変換してＭＩＸ８を経由して、ＣＡＴＶ伝送路１０に送信する。
【０００６】
ＣＡＴＶの加入者は、リモコン２２を操作し、デジタル放送受信機２０で受信した放送サービスをＴＶモニタ２１に表示して視聴する。放送サービスにはＥＰＧ情報が多重されているので、リモコン２２の操作により、デジタル放送受信機２０は１週間分のＥＰＧを表示することができる。ＥＰＧで表示される放送サービス情報を選択することにより、該当放送サービスの視聴または録画予約、放送サービスの詳細情報の参照を行うことができる。
【０００７】
ＥＰＧ情報については、放送サービスの限定受信とは異なり、全ての加入者に対して共通な情報として生成送出しているため、契約者個別の契約形態に合わせた契約放送サービスだけを表示するということはできず、未契約の放送サービス含め、放送を行っている全ての放送サービスのＥＰＧ情報が表示される。
【０００８】
ここで１から８までがＣＡＴＶ局に設置されるヘッドエンド装置であり、デジタル放送受信機２０、ＴＶモニタ２１およびリモコン２２は加入者宅に設置される。
【０００９】
次に、図１３の制御装置の構成図を用いて、送信装置側の動作について説明する。
【００１０】
制御装置１には、放送サービスの設定画面があり、この画面から放送サービス開始前に、放送を行うサービスの登録を行う。図１３のサーバ１−１の処理部１−３は、表示部１−５を経由し接続されたモニタ１−６に放送サービス設定画面を表示し、契約確認に使用する契約タイプについての共通情報（ＥＣＭ）を保持部１−４に保持する。また、デジタル放送受信機個別の放送サービスの限定受信情報（ＥＭＭ）は、加入者管理装置５からネットワークを経由し、通信部１−２が受信し、処理部１−３が処理し、保持部１−４に保持する。
【００１１】
制御装置１で設定された放送サービス毎の共通情報（ＥＣＭ元情報）および加入者管理装置５から制御装置１に送信された加入者の限定受信情報（ＥＭＭ元情報）は、処理部１−３で保持部１−４から読み出され、通信部１−２経由限定受信装置６に送信される。限定受信情報（ＥＭＭ）は、限定受信装置６から加入者個別のデジタル放送受信機２０に宛てて、ＭＵＸ／ＳＣＲ／ＱＡＭ装置７でスクランブルされ、トランスポートストリームに掲載されて、伝送路１０経由加入者宅のデジタル放送受信機２０に送信される。また、放送サービス毎の共通情報（ＥＣＭ）は、ＭＵＸ／ＳＣＲ／ＱＡＭ装置７で放送サービス、ＥＰＧ情報、放送サービス配列情報ととともにトランスポートストリームに掲載され、送信される。
【００１２】
また、処理部１−３は、登録された放送サービス毎の共通情報（ＥＣＭ元情報）に基づきネットワーク情報テーブル（ＮＩＴ）、サービス記述テーブル（ＳＤＴ）他の放送サービス配列情報の生成に必要な情報をＥＰＧ生成装置３に送信する。ＥＰＧ生成装置３では、送信された情報を元に、ネットワーク情報テーブル（ＮＩＴ）、サービス記述テーブル（ＳＤＴ）他の放送サービス配列情報を生成し、ＭＵＸ／ＳＣＲ／ＱＡＭ装置７に送信し、放送サービス毎の共通情報（ＥＣＭ）、放送サービス、ＥＰＧ情報とともにトランスポートストリームに掲載され、伝送路１０経由加入者宅のデジタル放送受信機２０に送信する。
【００１３】
ここで、図１５に、デジタル放送の放送サービス配列情報の一部であるデジタル放送のネットワーク情報テーブル（ＮＩＴ）、リンク記述子、サービス記述テーブル（ＳＤＴ）のデータ構造の概略を示す。
【００１４】
図１５（１）はＮＩＴのデータ構造の概略であり、ＮＩＴ３０のテーブル識別３１とネットワーク記述子領域３２が示されている。ネットワーク記述子領域３２には、図１５（２）に示すリンク記述子４０が含まれている。図１５（２）はリンク記述子のデータ構造の概略であり、リンク記述子４０を示す記述子タグ４１、ＴＳ識別４２、オリジナルネットワーク識別４３、サービス識別４４、リンク種別４５、プライベートデータ４６が示されている。図１５（３）はＳＤＴのデータ構造の概略であり、ＳＤＴ５０のテーブル識別５１、サービス識別５２、ｆｒｅｅ＿ＣＡ＿ｍｏｄｅ５３、ＳＤＴ記述子領域５４が示されており、サービス識別５２、ｆｒｅｅ＿ＣＡ＿ｍｏｄｅ５３、ＳＤＴ記述子領域５４まではサービス単位に繰り返される。また、ＳＤＴ記述子領域５４内に、ＣＡ契約情報記述子が含まれる。なお、デジタル放送の放送サービス配列情報については非特許文献１に記載されている。
【００１５】
次に、図１４のデジタル放送受信機の構成図を用いて、デジタル放送受信機２０の動作を説明する。
【００１６】
ＣＡＴＶ伝送路１０から受信した放送サービスの内、リモコン２２で指示された受信ネットワークの選局チャンネルの放送サービスを信号処理部２０−２で処理し、処理部２０−４は放送サービスに多重されているサービス毎の共通情報（ＥＣＭ）を限定受信カード２０−５で照合し、先に受信し保持している限定受信情報（ＥＭＭ）に含まれる視聴権情報（契約確認情報）がある場合は、限定受信カード２０−５から返信されるデコードキーを元に表示部２０−３でデスクランブルを行い、ＴＶモニタ２１に表示する。より具体的には、処理部２０−４は、有料無料の表示を規定するｆｒｅｅ＿ＣＡ＿ｍｏｄｅ５３、ＳＤＴ記述子領域５４内のサービス識別毎に視聴契約確認の要否を規定するＣＡ契約情報記述子を参照し、限定受信カード２０−５に契約確認情報を照合し、放送サービスの限定受信を実現している。
【００１７】
一方、処理部２０−４はリモコン２２のＥＰＧ表示指示を受信部２０−７経由で受信すると、放送サービスに多重されているＥＰＧ情報を表示する。先にも述べたとおり、ＥＰＧ情報については、放送サービスの限定受信とは異なり、全ての加入者に対して共通な情報として生成送出されてくるため、契約者個別の契約形態に合わせた契約放送サービスだけを表示するということはできず、未契約の放送サービス含め、放送を行っている全ての放送サービスのＥＰＧ情報が表示される。
【００１８】
なお、受信できない放送サービスを除いたＥＰＧ表示データを生成する機能を備えたデジタル放送受信機についての提案が特許文献１に開示されている。
【先行技術文献】
【特許文献】
【００１９】
【特許文献１】特開２００２−２５２８１７号公報
【非特許文献】
【００２０】
【非特許文献１】ＡＲＩＢ  ＳＴＤ−Ｂ１０
【発明の概要】
【発明が解決しようとする課題】
【００２１】
しかしながら、この提案では、特定の放送サービスについては未契約でもＥＰＧ情報をあえて表示し、加入者がその情報を見ることで視聴を希望し追加契約を行わせるという番組宣伝を行うことや、別の特定の放送サービス（例えばアダルト）については未契約の場合は表示しないというような、放送局の要望に合った細かな制御を放送局側で行うことができないという課題があった。
【課題を解決するための手段】
【００２２】
前記従来の課題を解決するために、本発明のＥＰＧ表示制御装置は、加入者毎の契約確認情報を保持する保持部と、サービス識別と、前記サービス識別毎に視聴契約確認の要否を示すサービス情報と、から構成されるサービス記述テーブルと、プライベートデータと、前記プライベートデータがＥＰＧ表示制御に使用するデータであるか否かを示すリンク種別と、から構成されるリンク記述子を含むネットワーク情報テーブルと、を含むトランスポートストリームを受信する通信部と、前記サービス識別と、前記サービス識別毎のサービス情報と、を抽出するとともに、前記プライベートデータがＥＰＧ表示制御に使用するデータであることを前記リンク種別が示す場合、前記プライベートデータに含まれるＥＰＧ表示制御情報を抽出し、前記保持する契約確認情報と、前記抽出したサービス識別と前記サービス識別毎のサービス情報と前記ＥＰＧ表示制御情報と、から、前記サービス識別毎にＥＰＧの表示または非表示を決定する処理部と、からなる。
【００２３】
本発明のＥＰＧ表示制御方法は、加入者毎の契約確認情報を保持する第１のステップと、サービス識別と、前記サービス識別毎に視聴契約確認の要否を示すサービス情報と、から構成されるサービス記述テーブルと、プライベートデータと、前記プライベートデータがＥＰＧ表示制御に使用するデータであるか否かを示すリンク種別と、から構成されるリンク記述子を含むネットワーク情報テーブルと、を含むトランスポートストリームを受信する第２のステップと、前記サービス識別と、前記サービス識別毎のサービス情報と、を抽出するとともに、前記プライベートデータがＥＰＧ表示制御に使用するデータであることを前記リンク種別が示す場合、前記プライベートデータに含まれるＥＰＧ表示制御情報を抽出し、前記保持する契約確認情報と、前記抽出したサービス識別と前記サービス識別毎のサービス情報と前記ＥＰＧ表示制御情報と、から、前記サービス識別毎にＥＰＧの表示または非表示を決定する第３のステップと、からなる。
【００２４】
また、本発明のＥＰＧ表示制御装置は、加入者毎の契約確認情報を保持する保持部と、
サービス識別と、前記サービス識別毎のプライベートデータと、前記サービス識別毎のプライベートデータがＥＰＧ表示制御に使用するデータであるか否かを示すリンク種別と、から構成されるリンク記述子を含むネットワーク情報テーブルを含むトランスポートストリームを受信する通信部と、前記サービス識別と、前記サービス識別毎のプライベートデータがＥＰＧ表示制御に使用するデータであることを前記リンク種別が示す場合、前記サービス識別毎のプライベートデータに含まれるＥＰＧ表示制御情報と、を抽出し、前記保持する契約確認情報と、前記抽出したサービス識別と前記ＥＰＧ表示制御情報と、から、前記サービス識別毎にＥＰＧの表示または非表示を決定する処理部と、からなる。
【００２５】
また、本発明のＥＰＧ表示制御方法は、加入者毎の契約確認情報を保持する第１のステップと、サービス識別と、前記サービス識別毎のプライベートデータと、前記サービス識別毎のプライベートデータがＥＰＧ表示制御に使用するデータであるか否かを示すリンク種別と、から構成されるリンク記述子を含むネットワーク情報テーブルを含むトランスポートストリームを受信する第２のステップと、前記サービス識別と、前記サービス識別毎のプライベートデータがＥＰＧ表示制御に使用するデータであることを前記リンク種別が示す場合、前記サービス識別毎のプライベートデータに含まれるＥＰＧ表示制御情報と、を抽出し、前記保持する契約確認情報と、前記抽出したサービス識別と前記ＥＰＧ表示制御情報と、から、前記サービス識別毎にＥＰＧの表示または非表示を決定する第３のステップと、からなる。
【００２６】
本発明のＥＰＧ表示制御装置、ＥＰＧ表示制御方法およびＥＰＧ制御情報送信装置によれば、特定の放送サービスについては、未契約でもＥＰＧ情報をあえて表示し、加入者がその情報を見ることで、視聴を希望し追加契約を行わせるという番組宣伝を行うことや、別の特定の放送サービス（例えばアダルト）については未契約の場合は表示しないというような、放送局の要望に合った細かな制御を放送局側で行うことができる。
【発明の効果】
【００２７】
本発明のＥＰＧ表示制御装置、ＥＰＧ表示制御方法およびＥＰＧ制御情報送信装置によれば、特定の放送サービスについては、未契約でもＥＰＧ情報をあえて表示し、加入者がその情報を見ることで、視聴を希望し追加契約を行わせるという番組宣伝を行うことや、別の特定の放送サービス（例えばアダルト）については未契約の場合は表示しないというような、放送局の要望に合った細かな制御を放送局側で行うことができる。
【図面の簡単な説明】
【００２８】
【図１】本発明の実施例１におけるリンク記述子のデータ構成の一例を示す図
【図２】本発明の実施例１におけるＥＰＧ表示制御テーブルの一例を示す図
【図３】本発明の実施例１におけるリンク記述子のデータ構成の他の例を示す図
【図４】本発明の実施例１におけるＥＰＧ表示制御テーブルの他の例を示す図
【図５】本発明の実施例１におけるＥＰＧ表示制御の処理フロー図
【図６】本発明の実施例２におけるＥＰＧ表示制御の処理フロー図
【図７】本発明の実施例３におけるリンク記述子のデータ構成の一例を示す図
【図８】本発明の実施例３におけるＥＰＧ表示制御テーブルの一例を示す図
【図９】本発明の実施例３におけるＥＰＧ表示制御の処理フロー図
【図１０】本発明の実施例４におけるリンク記述子のデータ構成の一例を示す図
【図１１】本発明の実施例４におけるＥＰＧ表示制御起動の処理フロー図
【図１２】ＣＡＴＶ放送システムの構成を示す図
【図１３】制御装置の構成を示す図
【図１４】デジタル放送受信装置の構成を示す図
【図１５】（１）ＮＩＴ（２）リンク記述子（３）ＳＤＴのデータ構成の概略を示す図
【発明を実施するための形態】
【００２９】
以下本発明を実施するための形態について、図面を参照しながら説明する。
【実施例１】
【００３０】
図１は、本発明の実施例１におけるネットワーク情報テーブルのリンク記述子のデータ構成の一例を示し、図２は、対応するＥＰＧ表示制御テーブルの一例を示す。
【００３１】
図１において、図１５（２）に示したリンク記述子４０のプライベートデータ４６として、情報種別とＥＰＧマスク設定を規定している。リンク記述子４０の記述子タグ４１、ＴＳ識別４２、オリジナルネットワーク識別４３、サービス識別４４、リンク種別４５については記載を省略している。なお、リンク種別４５として、例えばＥＰＧ表示制御に使用できる事業者定義、再送信用、将来リザーブ等を規定して、プライベートデータ４６がＥＰＧ表示制御に使用されるデータであるか否かを示すものとして使用する。
【００３２】
図１に示すプライベートデータ（ＥＰＧ表示制御情報）４６において、情報種別として、「０ｘ０１」で「ＥＰＧマスク運用パターン設定」を表し、ＥＰＧマスク設定として、「０ｘ０１」で「運用パターン１の運用」を、「０ｘ０２」で「運用パターン２の運用」を表すものとする。
【００３３】
図２は、情報種別＝「０ｘ０１」（ＥＰＧマスク運用パターン設定）の場合のＥＰＧ表示制御テーブルを表す。
【００３４】
ＥＰＧ表示制御テーブルは、サービス種別、図１５（３）のサービス記述テーブル（ＳＤＴ）５０に示したサービス識別５２、ｆｒｅｅ＿ＣＡ＿ｍｏｄｅ５３、ＳＤＴ記述子領域５４に含まれるＣＡ契約情報記述子（サービス情報）、サービス毎の共通情報（ＥＣＭ）を限定受信カード２０−５で照合し、先に受信し保持している限定受信情報（ＥＭＭ）に含まれる契約確認情報、図１で設定されたＥＰＧマスク設定および、ＣＡ契約情報記述子（サービス情報）と契約確認情報とＥＰＧマスク設定から決定されるＥＰＧ表示制御から構成される。なお、サービス種別は、タイプ１、タイプ２、タイプ３に分類されており、例えば、タイプ１としては無料放送、タイプ２としては追加の有料放送、タイプ３としてはベーシック契約放送やプレミア契約放送、ペイパービュー放送が該当する。
【００３５】
ここで、ＥＰＧ表示制御は、サービス種別タイプ１（サービス識別００１）の場合は、ｆｒｅｅ＿ＣＡ＿ｍｏｄｅ＝「０（無料）」で、ＣＡ契約情報記述子（サービス情報）＝「なし」なので契約確認情報は確認せず、ＥＰＧ表示制御＝「表示」とする。
【００３６】
サービス種別タイプ２（サービス識別００２）の場合は、ｆｒｅｅ＿ＣＡ＿ｍｏｄｅ「１（有料）」で、ＣＡ契約情報記述子（サービス情報）＝「あり」なので契約確認情報を確認し、契約確認情報＝「あり」なので、ＥＰＧ表示制御＝「表示」とする。
【００３７】
サービス種別タイプ２（サービス識別００３）の場合は、ｆｒｅｅ＿ＣＡ＿ｍｏｄｅ「１（有料）」で、ＣＡ契約情報記述子（サービス情報）＝「あり」なので契約確認情報を確認し、契約確認情報＝「なし」であるが、ＥＰＧマスク設定＝「０ｘ０１」（運用パターン１の運用）なのでＥＰＧ表示制御＝「表示」とする。つまり、運用パターン１とは、契約確認情報に関係なく無条件でＥＰＧ表示制御を「表示」とする運用パターンである。
【００３８】
サービス種別タイプ２（サービス識別００４）の場合は、ｆｒｅｅ＿ＣＡ＿ｍｏｄｅ「１（有料）」で、ＣＡ契約情報記述子（サービス情報）＝「あり」なので契約確認情報を確認し、契約確認情報＝「なし」であり、ＥＰＧマスク設定＝「０ｘ０２」（運用パターン２の運用）なのでＥＰＧ表示制御＝「非表示」とする。つまり、運用パターン２とは、契約確認情報に従ってＥＰＧ表示制御を「表示」または「非表示」とする運用パターンである。
【００３９】
サービス種別タイプ３（サービス識別００５）の場合は、ｆｒｅｅ＿ＣＡ＿ｍｏｄｅ＝「０（無料）」で、ＣＡ契約情報記述子（サービス情報）＝「あり」なので契約確認情報を確認し、契約確認情報＝「あり」なので、ＥＰＧ表示制御＝「表示」とする。
【００４０】
サービス種別タイプ３（サービス識別００６）の場合は、ｆｒｅｅ＿ＣＡ＿ｍｏｄｅ＝「０（無料）」で、ＣＡ契約情報記述子（サービス情報）＝「あり」なので契約確認情報を確認し、契約確認情報＝「なし」なので、ＥＰＧ表示制御＝「非表示」とする。
【００４１】
このように、ＣＡ契約情報記述子（サービス情報）と契約確認情報と、図１に規定するプライベートデータ（ＥＰＧ表示制御情報）の情報種別とＥＰＧマスク設定の内容と、によって、ＥＰＧ表示制御を行うことができる。
【００４２】
次に、図３は、本発明の実施例１におけるネットワーク情報テーブルのリンク記述子のデータ構成の他の例を示し、図４は、対応するＥＰＧ表示制御テーブルの他の例を示す図である。
【００４３】
図３に示すプライベートデータ（ＥＰＧ表示制御情報）４６において、情報種別として、「０ｘ０２」で「ＥＰＧマスク表示設定」を表し、ＥＰＧマスク設定として、「０ｘ００」で「デフォルト表示」、「０ｘ１０」で「契約確認情報に従って、契約確認情報ありの場合は表示、契約確認情報なしの場合は非表示」、「０ｘ２０」で「無条件で表示」、「０ｘ３０」で「無条件で非表示」を表すものとする。
【００４４】
図２と同様、図４は、情報種別＝「０ｘ０２」（ＥＰＧマスク表示設定）の場合のＥＰＧ表示制御テーブルを表す。
【００４５】
ここで、ＥＰＧ表示制御は、サービス種別タイプ１（サービス識別００７）、タイプ２（サービス識別００８）、タイプ３（サービス識別０１１）の場合は、図２のＥＰＧ表示制御と同様の制御であるので説明を省略する。
【００４６】
サービス種別タイプ２（サービス識別００９）の場合は、ｆｒｅｅ＿ＣＡ＿ｍｏｄｅ「１（有料）」で、ＣＡ契約情報記述子（サービス情報）＝「あり」なので契約確認情報を確認し、契約確認情報＝「なし」であるが、ＥＰＧマスク設定＝「０ｘ２０（無条件で表示）」なのでＥＰＧ表示制御＝「表示」とする。
【００４７】
サービス種別タイプ２（サービス識別０１０）の場合は、ｆｒｅｅ＿ＣＡ＿ｍｏｄｅ「１（有料）」で、ＣＡ契約情報記述子（サービス情報）＝「あり」なので契約確認情報を確認し、契約確認情報＝「なし」であり、ＥＰＧマスク設定＝「０ｘ１０（契約確認情報に従って表示）」なので、ＥＰＧ表示制御＝「非表示」とする。
【００４８】
サービス種別タイプ３（サービス識別０１２）の場合は、ｆｒｅｅ＿ＣＡ＿ｍｏｄｅ「０（無料）」で、ＣＡ契約情報記述子（サービス情報）＝「あり」なので契約確認情報を確認し、契約確認情報＝「なし」であるが、ＥＰＧマスク設定＝「０ｘ２０（無条件で表示）」なのでＥＰＧ表示制御＝「表示」とする。
【００４９】
サービス種別タイプ３（サービス識別０１３）の場合は、ｆｒｅｅ＿ＣＡ＿ｍｏｄｅ「０（無料）」で、ＣＡ契約情報記述子（サービス情報）＝「あり」なので契約確認情報を確認し、契約確認情報＝「なし」であり、ＥＰＧマスク設定＝「０ｘ１０（契約確認情報に従って表示）」なので、ＥＰＧ表示制御＝「非表示」とする。
【００５０】
このように、ＣＡ契約情報記述子（サービス情報）と契約確認情報と、図３に規定するプライベートデータ（ＥＰＧ表示制御情報）の情報種別とＥＰＧマスク設定と、によって、ＥＰＧ表示制御を行うことができる。
【００５１】
次に、デジタル放送受信機におけるＥＰＧ表示制御処理の流れを図５および図１４を用いて説明する。
【００５２】
図５は、本発明の実施例１におけるデジタル放送受信機２０のＥＰＧ表示制御の処理フロー図である。
【００５３】
図１４のデジタル放送受信機２０は、伝送路１０から受信したトランスポートストリームを信号処理部２０−２で解析し、図１５の放送サービス配列情報の一部であるネットワーク情報テーブル（ＮＩＴ）３０およびＮＩＴ３０内のリンク記述子４０を読み出す（ステップＳ１０１、Ｓ１０２）。処理部２０−４は、リンク記述子４０内のプライベートデータ４６がＥＰＧ表示制御に使用するデータであることをリンク種別４５が示す場合（ステップＳ１０３でＹｅｓ）、図１または図３に示すプライベートデータ４６の情報種別、ＥＰＧマスク設定（ＥＰＧ表示制御情報）を読み出す（ステップＳ１０４）。同様に、図１５のサービス記述テーブル（ＳＤＴ）５０を読み出す（ステップＳ１０５）。処理部２０−４は、サービス記述テーブル（ＳＤＴ）５０内のサービス識別５２、ｆｒｅｅ＿ＣＡ＿ｍｏｄｅ５３、ＳＤＴ記述子領域５４内のＣＡ契約情報記述子（サービス情報）の内容を確認する（ステップＳ１０６）。処理部２０−４は、サービス識別５２毎にｆｒｅｅ＿ＣＡ＿ｍｏｄｅ５３、ＣＡ契約情報記述子（サービス情報）から対象となるサービス識別の契約確認情報を限定受信カード２０−５に問い合わせる（ステップＳ１０７）。最後に、処理部２０−４は、ｆｒｅｅ＿ＣＡ＿ｍｏｄｅ５３、ＣＡ契約情報記述子（サービス情報）、契約確認情報、情報種別、ＥＰＧマスク設定（ＥＰＧ表示制御情報）に基づき、図２または図４に示すとおり、サービス識別毎にＥＰＧ表示制御の内容を決定し、表示部２０−３に対して、受信したＥＰＧ情報の表示あるいは非表示を行う（ステップＳ１０８）。
【００５４】
処理部２０−４は、サービス識別毎のＥＰＧ表示制御情報を保持部２０−６に保持し、ＥＰＧ表示が指示された場合は、保存部２０−６からＥＰＧ表示制御情報を読み出して、ＥＰＧ表示制御を行う。
【００５５】
また、処理部２０−４は、リモコン２２からのデジタル放送受信機２０の電源がＯＦＦされた時あるいは、あらかじめ設定された日時、ＮＩＴ、ＳＤＴが更新された時、ユーザからリモコン２２で指示された時、ユーザがチャンネルスキャンを行った場合等に、ＥＰＧ表示制御処理を行う。
【００５６】
また、ＥＰＧ表示制御処理を行う対象サービスについては、初回は全てのサービスについて行うが、次回以降は、非表示となっているサービス識別を有するサービスについて優先して行う。このことにより、サービスを追加契約したユーザのデジタル放送受信機で今まで非表示となっていたサービスのＥＰＧ表示を速やかに表示に変えることができる。
【００５７】
次に、図１２、図１３を用いて本発明のＥＰＧ表示制御情報を送信する制御装置１の動作を説明する。
【００５８】
加入者管理装置５からＥＰＧ表示制御の対象となるサービスに対して、サービス識別毎にリンク記述子４０のリンク種別４５およびプライベートデータ４６に記述するＥＰＧ表示制御情報の情報を制御装置１に送信すると、制御装置１の処理部１−３は、通信部１−２から受信し、保持部１−４に保持する。あるいは、モニタ１−６から上述の情報を制御装置１に登録すると、処理部１−３は保持部１−４にその情報を保持する。
【００５９】
処理部１−３が、ネットワーク情報テーブル（ＮＩＴ）３０、サービス記述テーブル（ＳＤＴ）５０他の放送サービス配列情報、共通情報（ＥＣＭ元情報）および限定受信情報（ＥＭＭ元情報）に関する情報を、通信部１−２経由でＥＰＧ生成装置３または限定受信装置６に送信し、トランスポートストリームとして伝送路１０に送信される仕組みは、背景技術に記載した通りである。
【００６０】
ここで、図２のタイプ３に示したように、サービス記述テーブル（ＳＤＴ）５０のｆｒｅｅ＿ＣＡ＿ｍｏｄｅ５３、ＣＡ契約情報記述子（サービス情報）をＥＰＧ表示制御に使用するため、ｆｒｅｅ＿ＣＡ＿ｍｏｄｅ５３＝「０」であっても、ＣＡ契約情報記述子（サービス情報）＝「あり」を記載し、デジタル放送受信機２０が契約確認情報を参照できるようにする。
【００６１】
本実施例１によれば、特定のチャンネルについては、未契約でもＥＰＧ情報をあえて表示し、加入者がその情報を見ることで視聴を希望し追加契約を行わせるという番組宣伝を行うことや、別の特定の（例えばアダルト）チャンネルについては未契約の場合は表示しないというような、放送局の要望に合った細かな制御を放送局側で行うことができる。
【実施例２】
【００６２】
次に、ネットワーク情報テーブル（ＮＩＴ）３０におけるリンク記述子４０を用いず、サービス記述テーブル（ＳＤＴ）５０を用いて、ＥＰＧ表示制御を行う例について説明する。
【００６３】
図６は、本発明の実施例２におけるデジタル放送受信機のＥＰＧ表示制御の処理フロー図である。
【００６４】
図６において、処理部２０−４は、サービス記述テーブル（ＳＤＴ）５０を読み出す（ステップＳ２０１）。処理部２０−４は、サービス記述テーブル（ＳＤＴ）５０内のｆｒｅｅ＿ＣＡ＿ｍｏｄｅ５３＝「０」でＣＡ契約情報記述子＝「あり」の場合（ステップＳ２０２、Ｓ２０３）、サービス識別５２毎に契約確認情報を限定受信カード２０−５に問い合わせ（ステップＳ２０４）、契約確認情報＝「あり」の場合（ステップＳ２０５）、受信したＥＰＧ情報の表示を行う（ステップＳ２０７）。契約確認情報＝「なし」の場合（ステップＳ２０５）、受信したＥＰＧ情報を非表示とし（ステップＳ２０６）、処理を終了する。処理部２０−４は、ＣＡ契約情報記述子＝「なし」の場合（ステップＳ２０３）、受信したＥＰＧ情報の表示を行う（ステップＳ２０７）。
【００６５】
また、処理部２０−４は、ｆｒｅｅ＿ＣＡ＿ｍｏｄｅ５３＝「１」でＣＡ契約情報記述子＝「あり」の場合（ステップＳ２０２、ステップＳ２０８）、別途受信したＥＰＧ情報の表示を行い（ステップＳ２０７）、ＣＡ契約情報記述子＝「なし」の場合（ステップＳ２０８）、このような設定の組み合わせは正常ではないので処理を終了する。
【００６６】
このように、サービス記述テーブル（ＳＤＴ）のサービス識別毎のｆｒｅｅ＿ＣＡ＿ｍｏｄｅ５３およびＣＡ契約情報記述子（サービス情報）と、契約確認情報の内容に基づき、ＥＰＧ表示制御を行うことができる。
【実施例３】
【００６７】
次に、サービス記述テーブル（ＳＤＴ）５０を用いず、ネットワーク情報テーブル（ＮＩＴ）３０におけるリンク記述子４０を用いて、ＥＰＧ表示制御を行う例について説明する。なお、実施例１と重複する説明は適宜省略する。
【００６８】
図７は、本発明の実施例３におけるネットワーク情報テーブルのリンク記述子のデータ構成の一例を示し、図８は、対応するＥＰＧ表示制御テーブルの一例を示す。
【００６９】
図７において、図１５（２）に示したリンク記述子４０のプライベートデータ４６として、情報種別、ＥＰＧマスク設定およびＥＰＧマスクＣＡ情報（ＥＰＧ表示制御情報）を規定している。
【００７０】
実施例１と異なる点は、情報種別１０１「０ｘ０３」で「ＥＰＧマスク表示設定およびＣＡ情報」を表している点と、ＥＰＧマスクＣＡ情報として、サービス記述テーブル（ＳＤＴ）５０に記載されるＣＡ契約情報記述子に一致した内容が記載されている点である。ここでは、ＣＡ契約情報記述子＝「なし」の場合「０ｘ００」、ＣＡ契約情報記述子＝「あり」の場合「０ｘ０１」とする。
【００７１】
図８は、情報種別＝「０ｘ０３」（ＥＰＧマスク表示設定およびＣＡ情報）の場合のＥＰＧ表示制御テーブルを表す。
【００７２】
図８において、実施例１の図４のｆｒｅｅ＿ＣＡ＿ｍｏｄｅ５３およびＣＡ契約情報記述子に代わってＥＰＧマスクＣＡ情報が追加されている点を除けば、実施例１の図４で説明したＥＰＧ表示制御と同様であるのでここでの説明は省略する。
【００７３】
このように、契約確認情報と、図７に規定するリンク記述子のプライベートデータ（の情報種別とＥＰＧマスク設定とＥＰＧマスクＣＡ情報ＥＰＧ表示制御情報）と、によって、サービス記述テーブル（ＳＤＴ）の情報を使用することなくＥＰＧ表示制御を行うことができる。
【００７４】
次に、デジタル放送受信機におけるＥＰＧ表示制御処理の流れを図９および図１４を用いて説明する。
【００７５】
図９は、本発明の実施例３におけるデジタル放送受信機２０のＥＰＧ表示制御処理フロー図である。実施例１の図５と同じ処理については説明を省略する。
【００７６】
図１４のデジタル放送受信機２０の処理部２０−４は、ステップＳ１０２で読み出したリンク記述子から、リンク記述子４０内のプライベートデータ４６がＥＰＧ表示制御に使用するデータであることをリンク種別４５が示す場合（ステップＳ１０３でＹｅｓ）、サービス識別４４、図７に示すプライベートデータ４６の情報種別、ＥＰＧマスク設定、ＥＰＧマスクＣＡ情報（情報種別、ＥＰＧマスク設定、ＥＰＧマスクＣＡ情報を総称してＥＰＧ表示制御情報、ＥＰＧマスクＣＡ情報をサービス情報）を読み出す（ステップＳ３０１）。ＥＰＧマスクＣＡ情報からＥＰＧ表示制御対象となるサービス識別の契約確認情報を限定受信カード２０−５に問い合わせる（ステップＳ３０２）。最後に、処理部２０−４は、ＥＰＧマスクＣＡ情報（サービス情報）、契約確認情報、ＥＰＧマスク設定に基づき、図８に示すとおり、サービス識別毎にＥＰＧ表示制御の内容を決定し、表示部２０−３に対して、放送信号から受信したＥＰＧ情報の表示あるいは非表示を行う（ステップＳ３０３）。
【００７７】
次に、図１２、図１３を用いて本発明のＥＰＧ表示制御情報を送信する制御装置１の動作を説明する。
【００７８】
実施例１と異なる点は、処理部１−３は、ネットワーク情報テーブル（ＮＩＴ）３０の情報をＥＰＧ生成装置３に送信する際、図７に記載のプライベートデータを有するリンク記述子を掲載し、通信部１−２を経由して送出する点であり、ＥＰＧマスクＣＡ情報に記載するＣＡ契約情報記述子の「なし」＝「０ｘ００」または「あり」＝「０ｘ０１」に相当する情報を、サービス記述テーブル（ＳＤＴ）５０に掲載するＣＡ契約情報記述子の「なし」あるいは「あり」の情報と同一の情報を掲載する点である。
【００７９】
本実施例３によればサービス記述テーブル（ＳＤＴ）の情報を使用することなく、実施例１同様、特定のチャンネルについては、未契約でもＥＰＧ情報をあえて表示し、加入者がその情報を見ることで視聴を希望し追加契約を行わせるという番組宣伝を行うことや、別の特定の（例えばアダルト）チャンネルについては未契約の場合は表示しないというような、放送局の要望に合った細かな制御を放送局側で行うことができる。
【実施例４】
【００８０】
これまでは、ネットワーク情報テーブル（ＮＩＴ）３０のリンク記述子４０におけるプライベートデータ４６をＥＰＧ表示制御情報として使用しＥＰＧ表示制御を行ったが、ＥＰＧ表示制御を起動するためのＥＰＧ表示制御起動情報として使用することも可能である。なお、実施例１と重複する説明は適宜省略する。
【００８１】
図１０は、本発明の実施例４におけるネットワーク情報テーブルのリンク記述子のデータ構成の一例を示す図である。
【００８２】
図１０において、図１５（２）に示したリンク記述子４０のプライベートデータ４６として、情報種別、ＥＰＧマスク状態（ＥＰＧ表示制御起動情報）を規定している。
【００８３】
実施例１と異なる点は、情報種別＝「０ｘ１０」でＥＰＧマスク運用状態を表している点と、ＥＰＧマスク設定に代わり、ＥＰＧマスク状態が記載されている点である。ここでは、ＥＰＧマスク状態として、停止中の場合「０ｘ００」、運用中の場合「０ｘ０１」とする。
【００８４】
このように、図１０に規定するプライベートデータの情報種別とＥＰＧマスク状態（ＥＰＧ表示制御起動情報）と、によって、ＥＰＧ表示制御の起動制御を行うことができる。
【００８５】
次に、図１０に示すＥＰＧマスク運用状態を用いたデジタル放送受信機２０におけるＥＰＧ表示制御を起動する処理の流れを説明する。
【００８６】
図１１は、本発明の実施例４におけるデジタル放送受信機２０のＥＰＧ表示制御起動の処理フロー図である。実施例１の図５と同じ処理については説明を省略する。
【００８７】
図１４のデジタル放送受信機２０の処理部２０−４は、ステップＳ１０２で読み出したリンク記述子から、リンク記述子４０内のプライベートデータ４６がＥＰＧ表示制御起動に使用するデータであることをリンク種別４５が示す場合（ステップＳ４０１でＹｅｓ）、図１０に示すプライベートデータ４６の情報種別、ＥＰＧマスク状態（ＥＰＧ表示制御起動情報）を読み出す（ステップＳ４０２）。ステップＳ４０２で読み出したプライベートデータ４６から、情報種別＝「０ｘ１０」（ＥＰＧマスク運用状態）、ＥＰＧマスク状態＝「０ｘ０１（運用中）」である場合、図１４の表示部２０−３からＴＶモニタ２１にＥＰＧ表示制御を起動する旨の表示を行い（Ｓ４０３）、ユーザのリモコン２２による操作で、このＥＰＧ表示制御を起動する旨の表示（起動ボタン）が選択・決定された場合（ステップＳ４０４）、ＥＰＧ表示制御を起動するよう制御を行う（ステップＳ４０５）。あるいは、ＥＰＧマスク状態＝「０ｘ０１（運用中）」である場合、起動指示を待たず、処理部２０−４は、ＥＰＧ表示制御を起動しＥＰＧ表示の表示あるいは非表示の制御を行ってもよい。
【００８８】
処理部２０−４は、ＥＰＧマスクが運用中であるか停止中であるかの情報を保持部２０−６に保持し、ＥＰＧ表示制御処理を開始する際に参照する。
【００８９】
次に、図１２、図１３を用いて本発明のＥＰＧ表示制御起動情報を送信する制御装置１の動作を説明する。
【００９０】
実施例１と異なる点は、処理部１−３は、ネットワーク情報テーブル（ＮＩＴ）３０の情報をＥＰＧ生成装置３に送信する際、図１０に記載のプライベートデータを有するリンク記述子を掲載し、通信部１−２を経由して送出する点である。
【００９１】
なお、本発明の実施例１から４において、デジタル放送受信機を例に挙げて説明を行ったが、これに限らず、ＥＰＧ表示制御を行うデジタルテレビ、デジタルテレビが受信可能なパーソナルコンピュータその他の装置や方法においても本発明を適用可能である。
【００９２】
また、ヘッドエンド装置を図１２に示す構成に分けて説明を行ったが、これに限らず、例えば、制御装置１とＥＰＧ生成装置３とＭＵＸ／ＳＣＲ／ＱＡＭ装置７を１つの装置とする構成であっても良い。
【産業上の利用可能性】
【００９３】
本発明のＥＰＧ表示制御装置、ＥＰＧ表示制御方法およびＥＰＧ制御情報送信装置によれば、特定の放送サービスについては、未契約でもＥＰＧ情報をあえて表示し、加入者がその情報を見ることで、視聴を希望し追加契約を行わせるという番組宣伝を行うことや、別の特定の放送サービス（例えばアダルト）については未契約の場合は表示しないというような、放送局の要望に合った細かな制御を放送局側で行うことができるので、ＥＰＧ表示制御技術、ＥＰＧ表示制御起動技術として有用である。
【符号の説明】
【００９４】
１    制御装置
２    放送サービスサーバ
３    ＥＰＧ生成装置
４    ＣＳ放送受信装置
５    加入者管理装置
６    限定受信装置
７    ＭＵＸ／ＳＣＲ／ＱＡＭ装置
８    ＭＩＸ（混合器）
２０  デジタル放送受信機
２１  ＴＶモニタ
２２  リモコン
３０  ネットワーク情報テーブル（ＮＩＴ）
４０  リンク記述子
５０  サービス記述テーブル（ＳＤＴ）
【図１】
2011239052.tif 000003
【図２】
2011239052.tif 000004
【図３】
2011239052.tif 000005
【図４】
2011239052.tif 000006
【図５】
2011239052.tif 000007
【図６】
2011239052.tif 000008
【図７】
2011239052.tif 000009
【図８】
2011239052.tif 000010
【図９】
2011239052.tif 000011
【図１０】
2011239052.tif 000012
【図１１】
2011239052.tif 000013
【図１２】
2011239052.tif 000014
【図１３】
2011239052.tif 000015
【図１４】
2011239052.tif 000016
【図１５】
2011239052.tif 000017